(57)【要約】【課題】照明光の照射状態の切り換えを簡単に行なって、隠しマークをより少ない手間で迅速に確認できる眼鏡レンズの隠しマーク視認装置を提供する。【解決手段】光源３、電池１６、および背景体５を収容する本体ケース１と、拡大レンズ６を支持するレンズホルダー２を備えている。本体ケース１の上面に、眼鏡レンズ８用の載置面９を設け、そこに照射開口１０を開口する。背景体５は本体ケース内１に配置して、照射開口１０を介して拡大レンズ６と正対させる。光源３は複数個のＬＥＤ２８と支持体２７で構成し、背景体５の斜め上方に配置する。光源３を本体ケース１の外面に設けた切換えつまみ３９で回動操作して、ＬＥＤ２８の照射中心軸Ｐが、載置面９に載置した眼鏡レンズ８を指向する第１照射状態と、背景体５を指向する第２照射状態とに切り換える。【選択図】図１
2010039401.tif 000002
【特許請求の範囲】
【請求項１】
光源（３）および背景体（５）を収容する本体ケース（１）と、拡大レンズ（６）を支持するレンズホルダー（２）とを備えており、
本体ケース（１）の上面には、眼鏡レンズ（８）を載置するための載置面（９）と、載置面（９）に臨んで開口する照射開口（１０）とが設けられており、
背景体（５）は、照射開口（１０）を介して拡大レンズ（６）と正対する状態で本体ケース内（１）に配置されており、
光源（３）は複数個のＬＥＤ（２８）を含んで構成されて、背景体（５）の斜め上方に配置されており、
ＬＥＤ（２８）から照射される照明光の照射中心軸（Ｐ）が、載置面（９）に載置した眼鏡レンズ（８）を指向する第１照射状態と、背景体（５）を指向する第２照射状態とに切り換えできるように光源（３）が構成されており、
本体ケース（１）の外面に、前記光源（３）を第１照射状態と第２照射状態とに切り換える切換具（３９）が設けてあることを特徴とする眼鏡レンズの隠しマーク視認装置。
【請求項２】
光源（３）が、複数個のＬＥＤ（２８）と、これらのＬＥＤ（２８）を支持する支持体（２７）とで構成されており、
前記支持体（２７）は、ＬＥＤ（２８）の照射中心軸（Ｐ）が載置面（９）に載置した眼鏡レンズ（８）を指向する第１照射状態と、ＬＥＤ（２８）の照射中心軸（Ｐ）が背景体を指向する第２照射状態とに変位可能に本体ケース（１）で支持されており、
本体ケース（１）の外面に、前記支持体（２７）を変位操作する切換えつまみ（３９）が設けてある請求項１に記載の眼鏡レンズの隠しマーク視認装置。
【請求項３】
光源（３）が、載置面（９）に載置した眼鏡レンズ（８）を照射する複数個の第１ＬＥＤ群（４６）と、背景体５を照射する複数個の第２ＬＥＤ群（４７）と、これらのＬＥＤ群（４６・４７）を支持する支持体（２７）とで構成されており、
本体ケース（１）の外面に、前記第１ＬＥＤ群（４６）と第２ＬＥＤ群（４７）の点灯状態を切り換える切換えスイッチ（３９）が設けてある請求項１に記載の眼鏡レンズの隠しマーク視認装置。
【請求項４】
拡大レンズ（６）の焦点領域が、載置面（９）に載置した眼鏡レンズ（８）の高さ位置に合致してある請求項１、２または３に記載の眼鏡レンズの隠しマーク視認装置。
【請求項５】
本体ケース（１）の内部に、光源点灯用の電池（１６）が収容されており、
本体ケース（１）が中空箱状に形成されて、その前後面および左右側面のいずれかひとつに電池開口（１８）が開口されており、
レンズホルダー（２）が、電池開口（１８）を塞ぐ蓋体を兼ねて、本体ケース（１）に対して着脱可能に固定してある請求項１から４のいずれかに記載の眼鏡レンズの隠しマーク視認装置。
【請求項６】
回路基板（２７）で構成された支持体が、本体ケース（１）で回動変位自在に軸支される回動軸（３０）に固定されており、
前記回動軸（３０）と本体ケース（１）との間に、回路基板（２７）を任意の回動位置において位置保持する摩擦抵抗体（３１）が配置してある請求項２、４または５に記載の眼鏡レンズの隠しマーク視認装置。
【発明の詳細な説明】
【技術分野】
【０００１】
本発明は、眼鏡レンズに設けてある隠しマークを明確に視認するための装置に関する。
【背景技術】
【０００２】
この種の装置は、例えば特許文献１に公知である。そこでは、光源（蛍光灯）と拡大レンズとの間の光路に光量制限具を位置させて照明光の照射状態を調整し、眼鏡レンズに設けられている隠しマークを拡大レンズで視認できるようにしている。光量制限具は、第１の面板と第２の面板とでＬ字状に形成してあり、第１面板部には防眩効果を発揮するフィルターが設けられ、第２面板部には眼鏡レンズの照明領域をレンズ周縁部に限定するマスクが設けられている。第１・第２の各面板部を介して眼鏡レンズに照射される照明光によって、プラスチック製の眼鏡レンズに設けた突状の隠しマークや、ガラス製の眼鏡レンズに設けた凹状の隠しマークを視認することができる。なお、眼鏡レンズは手で持った状態で、拡大レンズの焦点位置付近に支持する。同様の隠しマーク視認装置は、特許文献２にも開示してあるが、そこでは、眼鏡レンズを本体ケースの上面の載置面に載置した状態で隠しマークを確認する。
【０００３】
上記の隠しマーク視認装置とは異なり、光源からの照明光を背景体で反射させたのち、拡大レンズへ向かって照射する隠しマーク視認装置が提案されている（特許文献３）。光源は背景体の斜め上方に配置してあり、光源からの直接光のみで眼鏡レンズを照射し、あるいは直接光と背景体からの反射光とで眼鏡レンズを照射するなどにより、眼鏡レンズに設けた隠しマークを視認することができる。背景体は黒色のつや消し塗料が塗布されたプラスチック板で構成され、あるいは前記背景体の黒色の反射面にアルミニウム箔などの反射材を点状や線状などに配置して構成してある。
【０００４】
【特許文献１】特許第３００９４０１号公報（段落番号００２３〜００２４、図２）
【特許文献２】特許第３１３３４３０号公報（段落番号００２１、図１）
【特許文献３】特開２００１−２８１５６１号公報（段落番号００１５、図２）
【発明の開示】
【発明が解決しようとする課題】
【０００５】
特許文献１の隠しマーク視認装置は、光源が収容されるハウジングの上部にＬ字状の光量制限具を載置して照明光の照射状態を調整する。そのため、眼鏡レンズの隠しマークが既知でないような場合に、第１面板部と第２面板部とを交互に照明用の光路に臨ませ、眼鏡レンズに照射される光の状態を変更して隠しマークを視認する必要があり、光量制限具の姿勢を変更する手間が煩わしい。また、光源としてリング状の蛍光灯を使用するため商用電源の近傍で使用する必要があり、さらに装置全体の高さおよび前後寸法が大きいので、設置場所が比較的広いスペースに限られる不便がある。蛍光灯用の安定器などが不可欠であるうえ、ケース構造が複雑であるため全体コストが高く付く不利もある。
【０００６】
特許文献３の隠しマーク視認装置においては、複数種類の背景体をハウジング内の所定位置に差し換えて、照明光の照射状態を切り換えながら眼鏡レンズの隠しマークを視認しなければならない。そのため、眼鏡レンズに適合する背景体を選び出し、隠しマークを特定するのに多くの手間が掛かる。また、特許文献１の隠しマーク視認装置と同様に、設置場所が商用電源の近傍で比較的広いスペースに限られる不便がある。
【０００７】
本発明の目的は、照明光の照射状態の切り換えを簡単に行なって、隠しマークを迅速に確認できる眼鏡レンズの隠しマーク視認装置を提供することにある。本発明の目的は、全体構造が簡単でコンパクト化でき、その分だけ低コスト化できる眼鏡レンズの隠しマーク視認装置を提供することにある。本発明の目的は、商用電源が不必要でどこででも使用でき、長期にわたってメンテナンスが不要な眼鏡レンズの隠しマーク視認装置を提供することにある。
【課題を解決するための手段】
【０００８】
本発明に係る眼鏡レンズの隠しマーク視認装置は、光源３、および背景体５を収容する本体ケース１と、拡大レンズ６を支持するレンズホルダー２とを備えている。本体ケース１の上面には、眼鏡レンズ８を載置するための載置面９と、載置面９に臨んで開口する照射開口１０とが設けてある。背景体５は、照射開口１０を介して拡大レンズ６と正対する状態で本体ケース内１に配置する。光源３は複数個のＬＥＤ２８を含んで構成し、背景体５の斜め上方に配置する。以って、ＬＥＤ２８から照射される照明光の照射中心軸Ｐが、載置面９に載置した眼鏡レンズ８を指向する第１照射状態と、背景体５を指向する第２照射状態とに切り換えできるように光源３を構成する。本体ケース１の外面に、光源３を第１照射状態と第２照射状態とに切り換える切換具３９を設ける。
【０００９】
光源３は、図４に示すように複数個のＬＥＤ２８と、これらのＬＥＤ２８を支持する支持体２７とで構成する。支持体２７は、ＬＥＤ２８の照射中心軸Ｐが載置面９に載置した眼鏡レンズ８を指向する第１照射状態と、ＬＥＤ２８の照射中心軸Ｐが背景体を指向する第２照射状態とに変位可能に本体ケース１で支持する。本体ケース１の外面に、支持体２７を変位操作する切換えつまみ３９を設ける。
【００１０】
光源３は、図９に示すように載置面９に載置した眼鏡レンズ８を照射する複数個の第１ＬＥＤ群４６と、背景体５を照射する複数個の第２ＬＥＤ群４７と、これらのＬＥＤ群４６・４７を支持する支持体２７とで構成する。本体ケース１の外面に、第１ＬＥＤ群４６と第２ＬＥＤ群４７の点灯状態を切り換える切換えスイッチ３９を設ける（図８参照）。
【００１１】
拡大レンズ６の焦点領域を、載置面９に載置した眼鏡レンズ８の高さ位置に合致させる。焦点領域とは、焦点が合っている領域を意味する。
【００１２】
本体ケース１の内部に、光源点灯用の電池１６を収容する。本体ケース１は中空箱状に形成して、その前後面および左右側面のいずれかひとつに電池開口１８を開口する。レンズホルダー２が電池開口１８を塞ぐ蓋体を兼ねるように、本体ケース１に対して着脱可能に固定する。
【００１３】
回路基板２７で構成された支持体を、本体ケース１で回動変位自在に軸支される回動軸３０に固定する。回動軸３０と本体ケース１との間に、回路基板２７を任意の回動位置において位置保持する摩擦抵抗体３１を配置する（図４参照）。
【発明の効果】
【００１４】
本発明では、照明用の光源３を複数個のＬＥＤ２８を含んで構成し、本体ケース１内に設けた背景体５の斜め上方に配置した。そのうえで、本体ケース１の外面に設けた切換具３９を切り換え操作してＬＥＤ２８の照射中心軸Ｐの向きを変更することにより、照明光の照射状態を変更できるようにした。したがって、本発明の隠しマーク視認装置によれば、切換具３９を切り換え操作するだけの簡単な操作で、眼鏡レンズ８の形成素材の違いに対応して照明光の照射状態を変更でき、従来のこの種の装置において不可欠であった光量制限具の姿勢変更や、背景体の差し換えなどを行なう必要もなく、隠しマークの確認を迅速にしかも的確に行なえる。
【００１５】
また、複数個のＬＥＤ２８を発光源にして光源３を構成するので、蛍光灯を発光源とする従来装置に比べて安定器などの余分な機器を省略でき、蛍光灯や安定器などを収容するスペースも省略できる。したがって、本発明装置の本体ケース１は、少なくとも複数個のＬＥＤ２８や背景体５などを収容できるスペースがあればよく、従来装置に比べて隠しマーク視認装置の全体構造の簡素化と小形化とを同時に実現して、全体コストを削減できる。電池１６を電源とする場合には商用電源が不必要であり、しかも小形化できることと相俟って、使用場所の制限がなく、どこででも使用できる隠しマーク視認装置とすることができる。光源として寿命の長いＬＥＤ２８を使用するので、長期にわたって光源のメンテナンスを行なう必要がない利点もある。
【００１６】
複数個のＬＥＤ２８と、これらのＬＥＤ２８を支持する支持体２７とで光源３を構成し、本体ケース１の外面に設けた切換えつまみ３９で支持体２７を変位操作して、ＬＥＤ２８の照射中心軸Ｐの向きを第１照射状態と第２照射状態に変更できるようにすると、切換えつまみ３９を切り換え操作するだけの簡単な操作で、眼鏡レンズ８の形成素材の違いに対応して照明光の照射状態を変更できる。また、拡大レンズ６を覗き込んだ状態のままで切換えつまみ３９を操作して照明光の照射状態を変更できるので、例えば第１照射状態で隠しマーク４４を視認できなかった場合などに、第２照射状態への切り換えを即座に行なって、隠しマーク４４の確認作業を迅速に行なえる。ＬＥＤ２８を支持する支持体２７の姿勢を変更して照射中心軸Ｐの向きを切り換えるので、切換えつまみ３９の操作量を加減して、照明光の照射状態を使用者の好みの状態に微調整できる利点もある。
【００１７】
載置面９に載置した眼鏡レンズ８を照射する複数個の第１ＬＥＤ群４６と、背景体５を照射する複数個の第２ＬＥＤ群４７と、これらのＬＥＤ群４６・４７を支持する支持体２７とで光源３を構成し、本体ケース１の外面に設けた切換えスイッチ３９を操作して、両ＬＥＤ群４６・４７の点灯状態を切り換えるようにすると、可動部分を一掃できるので、隠しマーク視認装置が故障する確率を大幅に低下して、耐久性と信頼性を向上できる。また、各ＬＥＤ群４６・４７の照度を異ならせ、あるいは発光色を異ならせるなど、眼鏡レンズ８の形成素材の違いに対応して照明光の特性を好適化して、隠しマーク４４の確認作業をさらに効果的に行なうことができる。
【００１８】
拡大レンズ６の焦点領域を、載置面９に載置した眼鏡レンズ８の高さ位置に合致させると、拡大レンズ６に対する眼鏡レンズ８の高さ位置を調整して、眼鏡レンズ８を焦点領域に位置させる手間を省くことができる。したがって、拡大レンズ６を覗き込んだ状態で眼鏡レンズ８を載置面９に沿って移動させることにより隠しマーク４４を探すことができ、より確実にしかも簡便に隠しマーク４４を視認できる。
【００１９】
中空箱状に形成した本体ケース１の周囲壁に電池開口１８を開口し、本体ケース１に対して着脱されるレンズホルダー２で電池開口１８を塞ぐようにすると、電池開口１８を塞ぐ蓋体を別途設ける必要がなく、その分だけケース構造を簡素化して隠しマーク視認装置の製造に要するコストを削減できる。本体ケース１の内部に電池１６を収容するので、電池１６を本体ケース１の外部に別設する場合に比べて、隠しマーク視認装置の保管や収納に要するスペースを小さくできる。
【００２０】
回路基板２７を回動軸３０に固定し、回動軸３０と本体ケース１との間に摩擦抵抗体３１を配置すると、回路基板２７を任意の回動位置において位置保持することができる。したがって、第１照射状態と第２照射状態に切り換えた光源３が、外部から加わる衝撃や自重によって回動するのを確実に防止して、照射中心軸Ｐを常に適正な状態に保持することができる。
【発明を実施するための最良の形態】
【００２１】
（実施例）  図１ないし図７は本発明に係る隠しマーク視認装置の実施例を示す。図１ないし図３において隠しマーク視認装置は、本体ケース１と、本体ケース１の背面に着脱可能に固定されるレンズホルダー２と、本体ケース１の内部に収容される光源３、電池ユニット４、および背景体５と、レンズホルダー２で支持される拡大レンズ６などで構成する。
【００２２】
本体ケース１は、プラスチック製の縦長直方体状の中空箱からなり、その上面に眼鏡レンズ８を載置するための載置面９を有し、載置面９の前後中央に光源３からの照射光を通過させるための照射開口１０が開口してある。照射開口１０は帯状の光源３に対応して横長四角形状に形成してある。本体ケース１の内部は、ケース内部に固定した区画板１２で上区画１３と下区画１４とに区分されており、上区画１３に光源３と背景体５が配置され、下区画１４に電池ユニット４が収容してある。
【００２３】
電池ユニット４は、上向きに開口する電池ケース１５と、電池ケース１５に装填される４個の電池（単３電池）１６とで構成してある。電池ケース１５は下区画１４の底壁に面ファスナー１７で着脱可能に固定してある。電池１６を交換するために、本体ケース１の背面全体が電池開口１８として開口してある。電池１６を交換する場合には、レンズホルダー２を取り外し、さらに面ファスナー１７を分離して電池ケース１５を本体ケース１の外へ取り出して行なう。本体ケース１の内面全体および区画板１２の少なくとも上面は、黒色のつや消し塗料が塗布してあり、これにより光源３の照射光が本体ケース１の内面および区画板１２で反射するのを防いでいる。
【００２４】
レンズホルダー２は、プラスチック板材を逆Ｌ字状に折り曲げて構成してあり、その上面板２ａに開口した円形の視認開口２１に拡大レンズ６を装着している。拡大レンズ６は、上面板２ａと、上面板２ａの下面側に固定される押え枠２２とで取り外し不能に挟持固定してある。レンズホルダー２は先の電池開口１８を塞ぐ蓋体を兼ねており、その縦壁２ｂの過半下部が４個のビス２３で本体ケース１に締結固定してある。４個のビス２３を取り外すと、レンズホルダー２を本体ケース１から分離できる。上区画１３に臨む縦壁２ｂの内面には、光源３の回動限界を規定する板状のストッパー２４が固定してある。レンズホルダー２を本体ケース１に組み付けた状態において、拡大レンズ６は照射開口１０と上下に正対している。
【００２５】
図４および図２において光源３は、横長四角形状の回路基板（支持体）２７と、回路基板２７の一方の長辺部に沿って定間隔ごとに直線列状に実装される８個のＬＥＤ２８と、回路基板２７に取付金具２９で固定される回動軸３０と、回動軸３０と本体ケース１との間に配置される摩擦抵抗体３１などで構成する。個々のＬＥＤ２８は、白色を発光する発光ダイオードからなり、各ＬＥＤ２８の隣接ピッチを５ｍｍとして、全体として帯状の照明光を照射できる。
【００２６】
光源３は背景体５のケース後面側の斜め上方に配置する。詳しくは、図１に示すように、拡大レンズ６の中心と照射開口１０の中心を結ぶ垂直の仮想中心軸線よりもケース後方で、しかも上区画１３の上下中央に回動軸３０の中心が位置する状態で光源３を配置する。このように、光源３を背景体５の後方斜め上方に配置することにより、ＬＥＤ２８から照射される直接照明光が拡大レンズ６に照射されるのを防止できる。
【００２７】
回動軸３０は、回路基板２７にビス３２で締結されるΩ字状の取付金具２９を介して回路基板２７に固定され、その両側端が本体ケース１の左右側壁で回動自在に軸支してある。摩擦抵抗体３１は、回動軸３０に固定される止金具３３、および座金３４と、これら両者３３・３４の間に配置される圧縮コイル形のばね３５と、本体ケース１に接着固定される摩擦体３６で構成する。座金３４は止金具３３と共に回動軸３０に同行して回動し、このとき座金３４と摩擦体３６との間に発生する摩擦力によって、光源３を任意の回動位置で位置保持することができる。本体ケース１から外側方へ突出する回動軸３０の軸端には、光源３を回動変位操作する切換えつまみ（切換具）３９が固定してある。また、本体ケース１の前面には、電池ユニット４から光源３へ供給される電流をオン・オフする電源スイッチ３７が設けてある。
【００２８】
図５に示すように背景体５は、光沢のある白色の紙またはプラスチックシートの表面に、黒色のつや消しインクで格子模様４１を印刷して、シート表面の全体に明部と暗部を形成してなる。格子模様４１の格子幅ｂ１は、格子模様４１で囲まれる正方形の白地４２の一辺の長さｂ２より僅かに小さく設定してある。図５に示す拡大図にあっては、拡大図の周縁を囲む円の直径が１０ｍｍであるときの格子模様４１の状態を示している。このように、格子模様４１を設けることにより、背景体５で反射される照射光の光量を落として防眩作用を発揮することができる。なお、紙またはプラスチックシートに印刷される模様としては、格子模様である必要はなく、一群の点状のあるいは斑点状の模様であってもよい。また、黒色のつや消しされたシート表面に、反射性に優れた金属箔片やガラスの微粉末を接着して背景体５を形成することができる。
【００２９】
先に説明した光源３は、ガラス製の眼鏡レンズ８に設けられた隠しマークを視認するときと、プラスチック製の眼鏡レンズ８に設けた隠しマークを視認するときとで、切換えつまみ３９を回動操作してＬＥＤ２８の照射中心軸を切り換える。詳しくは、ガラス製の眼鏡レンズ８に設けられた隠しマークを視認する場合には、図６に示すように、ＬＥＤ２８から照射される照明光の照射中心軸Ｐが、載置面９に載置した眼鏡レンズ８を指向して斜め上向きに傾斜する第１照射状態とする。このとき、回路基板２７の下面上縁側をストッパー２４の上端縁に接当させることにより、第１照射状態における照射中心軸Ｐの傾斜角度を一定にし、摩擦抵抗体３１で位置保持することができる。
【００３０】
また、プラスチック製の眼鏡レンズ８に設けた隠しマークを視認する場合には、図７に示すように、ＬＥＤ２８から照射される照明光の照射中心軸Ｐが、背景体５を指向して斜め下向きに傾斜する第２照射状態とする。このとき、回路基板２７の下面下縁側をストッパー２４の下部表面に接当させることにより、第２照射状態における照射中心軸Ｐの傾斜角度を一定にして、背景体５で反射される反射光量を好適化できる。この状態においても、光源３の傾斜姿勢は摩擦抵抗体３１で保持されている。
【００３１】
眼鏡レンズ８に形成された隠しマーク４４の一例を図２に示している。そこでは、レンズ中心を通る基準直径位置を意味する左右一対の丸印表示と、遠視用の度数と近視用の度数の差を意味するアラビア数字表示などで隠しマーク４４を構成している。アラビア数字の表示は、図２において丸印表示より手前側に（ケース前方）に設けてある。また、図示していないが眼鏡レンズ８の凸表面には、レンズの中心線や、丸印表示の大まかな位置、あるいは右用あるいは左用などの表示が印刷してある。これらの印刷表示はレンズの加工が終了した時点で払拭除去される。
【００３２】
眼鏡レンズ８の隠しマーク４４を確認する場合には、載置面９に眼鏡レンズ８を載置したうえで、図１および図３に示すように眼鏡レンズ８の周縁をレンズホルダー２に接当させ、さらに先の印刷表示のうち中心線表示を照射開口１０の後縁の真上付近に位置させる。この状態で、電源スイッチ３７をオンしてＬＥＤ２８を点灯する。光源３は、眼鏡レンズ８がガラスである場合には第１照射状態に切り換え、眼鏡レンズ８がプラスチックである場合には第２照射状態に切り換える。
【００３３】
第１照射状態における背景体５は、ＬＥＤ２８の直接照射光が背景体５に照射されないので、拡大レンズ６を覗き込んだ状態において殆ど暗黒状に見える。また、第２照射状態の背景体５は、拡大レンズ６を覗き込んだ状態において、格子模様４１の輪郭がにじんだ状態でぼんやりと見える。拡大レンズ６の焦点のあう領域が、載置面９に載置いた眼鏡レンズ８の高さ位置に合致させてあるからである。
【００３４】
上記の状態で、眼鏡レンズ８を丸印表示の大まかな位置を示す印刷表示に従って左右いずれかへずらすことにより、隠しマーク４４を視認することができる。ガラス製の眼鏡レンズ８の隠しマーク４４は、レンズ表面に凹溝状に形成されている。そのため、図６に示すように、ＬＥＤ２８から照射される斜め上向きの照明光を受けると、隠しマーク４４は暗黒状に見える背景体５を背景にして乱反射作用により光輝し、明確に確認することができる。
【００３５】
また、プラスチック製の眼鏡レンズ８の隠しマーク４４は、レンズ表面に凸リブ状に形成されている。そのため、図７に示すように、ＬＥＤ２８から照射されて背景体５で反射された照明光を受けると、凸リブ状の隠しマーク４４は背景体５からの反射光を拡散させる。その結果、拡大レンズ６で見る隠しマーク４４は周辺部位より暗く見え、陰文字として明確に確認することができる。
【００３６】
以上のように、本発明の隠しマーク視認装置によれば、切換えつまみ３９を回動操作するだけで、光源３を第１照射状態と第２照射状態とに切り換えて、眼鏡レンズ８の形成素材の違いに応じて照射状態を変更できるので、眼鏡レンズ８の隠しマークをより少ない手間で迅速に、しかも明確に確認することができる。
【００３７】
また、蛍光灯を光源とする従来装置に比べて安定器などの余分な機器を省略し、さらにケース構造を簡素化できるので、隠しマーク視認装置の全体構造を大幅に簡素化できるうえ、外形寸法を充分に小さくして全体コストを削減できる。電池１６を電源とするので、商用電源から遠く離れた場所であっても隠しマーク視認装置を問題なく使用できる。加えて、光源として寿命の長いＬＥＤ２８を使用するので、長期にわたって光源のメンテナンスを行なう必要がなく、時おりレンズホルダー２を取り外して電池１６を交換する程度の保守を行なえば足りる。
【００３８】
図８および図９は隠しマーク視認装置の別の実施例を示す。そこでは、光源３の構造が先の実施例と異なっている。詳しくは、載置面９に載置された眼鏡レンズ８を照射する８個の第１ＬＥＤ群（ＬＥＤ）４６と、背景体５を照射する８個の第２ＬＥＤ群（ＬＥＤ）４７と、これらのＬＥＤ群４６・４７を支持する支持体２７とで光源３を構成する。支持体２７は、各ＬＥＤ群４６・４７が実装される回路基板４８・４９と、両基板４８・４９を所定の角度で支持する支持枠５０とで構成する。支持枠５０の両端は本体ケース１に固定してある。
【００３９】
第１ＬＥＤ群４６の照射中心軸Ｐの傾斜角度は、上記の実施例における第１照射状態時のＬＥＤ２８の照射中心軸Ｐの傾斜角度に一致させてあり、第２ＬＥＤ群４７の照射中心軸Ｐの傾斜角度は、上記の実施例における第２照射状態時のＬＥＤ２８の照射中心軸Ｐの傾斜角度に一致させてある。必要があれば、各ＬＥＤ群４６・４７の照度を異ならせ、あるいは発光色を異ならせて、各ＬＥＤ群４６・４７の発光特性を好適化することができる。他は先の実施例と同じであるので、同じ部材に同じ符号を付してその説明を省略する。
【００４０】
使用時には、電源スイッチ３７をオン操作したのち、本体ケース１の側面に設けた切換えスイッチ（切換具）３９をＧ側あるいはＰ側へ切り換えて、両ＬＥＤ群４６・４７のいずれか一方を点灯させることにより、ガラス製の眼鏡レンズ８およびプラスチック製の眼鏡レンズ８に適合した照明状態を形成することができる。必要があれば、両ＬＥＤ群４６・４７を同時に点灯してもよい。
【００４１】
上記の実施例以外に、光源３は、拡大レンズ６の中心と照射開口１０の中心を結ぶ垂直の仮想中心軸線よりもケース前方へ位置ずれした状態で配置することができる。必要があれば、平面から見て先の仮想中心軸線よりもケース側方、あるいは斜め側方に位置ずれした状態で配置することができ、要は照明光が直接に拡大レンズ６に照射されない位置であればよい。電源スイッチ３７はパイロットランプ（ＬＥＤ）が組み込まれたスイッチであってもよい。
【００４２】
拡大レンズ６のレンズ中心軸は垂直である必要はなく、斜めに傾斜することができる。光源３の照射中心軸Ｐを第１照射状態から第２照射状態に変位する構造としては、回動軸３０を中心とする回動変位である必要はない。例えば、回路基板２７の両端に固定した一対のピンを本体ケース１に設けたガイド溝で案内して、光源３の姿勢を変更することができる。本体ケース１は角箱状である必要はなく、丸筒状や角錐台状など任意形状に形成できる。電池開口１８を本体ケース１の底壁に開口し、専用の蓋体で開閉することができる。
【図面の簡単な説明】
【００４３】
【図１】隠しマーク視認装置の縦断側面図である。
【図２】隠しマーク視認装置の斜視図である。
【図３】隠しマーク視認装置の平面図である。
【図４】光源の詳細構造を示す横断平面図である。
【図５】図１におけるＡ−Ａ線断面図である。
【図６】第１照射状態の光源を示す縦断側面図である。
【図７】第２照射状態の光源を示す縦断側面図である。
【図８】別の実施例に係る隠しマーク視認装置の斜視図である。
【図９】別の実施例に係る光源の構造を示す縦断側面図である。
【符号の説明】
【００４４】
１  本体ケース
２  レンズホルダー
３  光源
５  背景体
６  拡大レンズ
８  眼鏡レンズ
９  載置面
１０  照射開口
２７  支持体（回路基板）
２８  ＬＥＤ
３０  回動軸
３９  切換具（切換えつまみ）
【図１】
2010039401.tif 000003
【図２】
2010039401.tif 000004
【図３】
2010039401.tif 000005
【図４】
2010039401.tif 000006
【図５】
2010039401.tif 000007
【図６】
2010039401.tif 000008
【図７】
2010039401.tif 000009
【図８】
2010039401.tif 000010
【図９】
2010039401.tif 000011